(57)【要約】      （修正有）【課題】盗難防止包装箱を提供する。【解決手段】本体１０を含み、前記本体の中には空きチャンバ１１が設けられ、前記空きチャンバの中にはスライド盤１２が設けられ、前記スライド盤には置き台１３が固定的に設けられ、前記スライド盤の下端面には左右に対称的なスライダー１４が固定的に設けられ、前記空きチャンバの下側には空き溝が連通して設けられ、前記空き溝の中には前記スライド盤と噛み合う転輪１６が回転できるように設けられ、本発明は構造が簡単で、操作が便利で、盗難防止装置が起動していないときは、包装箱は普通に使用でき、盗難防止を始めた後、もう一度包装箱を開くと、スライド板の伸縮バネが切断され、包装箱を再利用でき、しかし、スライド板には自動的にスライドする機能はなく、安全性が高く、再利用可能である。【選択図】図１
2020175942.tif 000002
【特許請求の範囲】
【請求項１】
本体を含み、前記本体の中には空きチャンバが設けられ、前記空きチャンバの中にはスライド盤が設けられ、前記スライド盤には置き台が固定的に設けられ、前記スライド盤の下端面には左右に対称的なスライダーが固定的に設けられ、前記空きチャンバの下側には空き溝が連通して設けられ、前記空き溝の中には前記スライド盤と噛み合う転輪が回転できるように設けられ、前記転輪には引掛り溝が設けられ、前記空き溝の下側には連動装置が設けられ、前記連動装置は前記引掛り溝と引っかかって連結され、前記空きチャンバの右側にはスライドチャンバが外部と連通するように設けられ、前記スライドチャンバの中にはスライド板がスライドできるように設けられ、前記空きチャンバの上側には案内溝が相通して設けられ、前記スライド板の上端にはガイドブロックが固定的に設けられ、前記ガイドブロックの右端と前記案内溝との間には伸縮ばねが固定的に設けられ、前記案内溝の上側には盗難防止装置が設けられ、前記盗難防止装置は前記ガイドブロックと当接でき、前記スライド板の左端にはロックブロックが固定的に設けられ、前記ロックブロックの中にはロック溝が上下に対称的に設けられ、前記空きチャンバの左側にはロック装置が設けられ、前記ロック装置は前記ロック溝とロックできるように連結されることができ、前記空きチャンバの下側には開き溝が相通して設けられ、前記開き溝の中には回転軸によって回転板が回転できるように設けられ、前記回転板の中には回転溝が設けられ、前記回転溝の中には前端が外部に伸びている平歯車が回転できるように設けられ、前記回転溝の上下側にはプッシュ溝が上下に相通して設けられ、前記プッシュ溝の中には前記平歯車と噛み合うプッシュロッドがスライドできるように設けられ、前記空きチャンバの左右側には固定溝が設けられ、前記開き溝の左側には噛合溝が相通して設けられ、前記回転軸の左端は前記噛合溝の中に伸びており且つ前記回転軸の左端には第一傘歯車が固定的に設けられ、前記噛合溝の中には前記第一傘歯車と噛み合う第二傘歯車が固定軸によって回転できるように設けられ、前記固定軸と前記盗難防止装置および前記ロック装置との間はベルトによって伝動できるように連結され、
前記盗難防止装置が作動するとき、前記スライド板が右に移動して前記空きチャンバを開くと、前記伸縮ばねは切断されることを特徴とする盗難防止包装箱。
【請求項２】
前記連動装置は前記空き溝と相通したスライド溝を含み、前記スライド溝の中には引掛りブロックがスライドできるように設けられ、前記スライド溝の右側には連結溝によって押し溝が連通して設けられ、前記連結溝の中には後端が前記引掛りブロックと連結されるリンクが回転できるように設けられ、前記リンクと前記連結溝との間にはトーションバネが固定的に設けられ、前記押し溝の中には押しブロックがスライドできるように設けられ、前記リンクの前端は前記押しブロックと回転できように連結され、
前記押しブロックの昇降は前記引掛りブロックを連動させて昇降させることを特徴とする請求項１に記載の盗難防止包装箱。
【請求項３】
前記盗難防止装置は前記案内溝と相通したプッシュチャンバを含み、前記プッシュチャンバの中には固定ロッドがスライドできるように設けられ、前記固定ロッドと前記プッシュチャンバとの間には圧縮ばねが固定的に設けられ、前記プッシュチャンバの左側には開きチャンバが相通して設けられ、前記開きチャンバの中にはガイドロッドがスライドできるように設けられ、前記固定ロッドの上端は前記ガイドロッドと当接し、前記ガイドロッドの下端面にはカッターが固定的に設けられ、前記ガイドロッドの上端と前記開きチャンバとの間には引張ばねが固定的に設けられ、前記開きチャンバの左側には連結チャンバが設けられ、前記連結チャンバの上端壁には磁石が固定的に設けられ、前記連結チャンバの中には前記磁石と磁気で吸引し合える止めブロックがスライドできるように設けられ、前記連結チャンバの左側には移動溝が相通して設けられ、前記移動溝の中には前記止めブロックと当接する移動ロッドがスライドできるように設けられ、前記移動溝の上側には凹溝が相通して設けられ、前記移動ロッドの左端にはロックロッドが回転できるように設けられ、前記ロックロッドの上端と前記凹溝との間には回転ばねが固定的に設けられ、前記凹溝の左側には通し溝が相通して設けられ、前記通し溝の中には止め板がスライドできるように設けられ、前記止め板と前記通し溝との間には連結ばねが固定的に設けられ、前記凹溝の上端壁の中には押しロッドがスライドできるように設けられ、前記押しロッドの左右両側端面には前記押しロッドをリセットできる復帰部品が固定的に設けられ、前記移動ロッドの左側にはラックがスライドできるように設けられ、前記ラックの右端には回転ロッドが回転できるように設けられ、前記ラックの下端面には伝動輪と噛み合って連結され、前記伝動輪と前記第二傘歯車との間は前記ベルトによって伝動できるように連結され、
前記ロックロッドは前記回転ロッドとロックできるように連結されて前記盗難防止装置を起動させることを特徴とする請求項１に記載の盗難防止包装箱。
【請求項４】
前記ロック装置は前記空きチャンバと相通した引掛りチャンバを含み、前記引掛りチャンバの上下端壁には通しチャンバが相通して設けられ、前記通しチャンバの中にはロックブロックがスライドできるように設けられ、前記ロックブロックと前記通しチャンバとの間には押圧ばねが固定的に設けられ、前記ロックブロックの中には貫通溝が設けられ、前記通しチャンバの左側には回転チャンバが相通して設けられ、前記回転チャンバの中には回しロッドが回転できるように設けられ、前記回しロッドの左端には縄が固定的に設けられ、前記回転チャンバの間には線輪が回転できるように設けられ、上下の前記縄は同じ側から前記線輪に巻き付けられて設けられ、前記線輪の心棒と前記固定軸および伝動輪との間は前記ベルトによって伝動できるように連結され、
前記ロックブロックは前記ロック溝に引っかかって前記スライド板をロックできることを特徴とする請求項１に記載の盗難防止包装箱。
【発明の詳細な説明】
【技術分野】
【０００１】
本発明は日常用品分野を取り上げて、具体的には盗難防止包装箱である。
【背景技術】
【０００２】
盗難防止包装箱の目的は、輸送、保管または販売の過程で箱が開封され、箱の中身を盗まれたり交換されたりすることを防止するのであり、既存の盗難防止包装箱は開けた後、ロック機能は貧弱で、内部貨物に対する保護が弱く、そして開封した後、リサイクルできない。
このため、従来技術では包装箱をさらに改良し、盗難防止性および包装箱の使用効率を向上させる必要がある。
【先行技術文献】
【特許文献】
【０００３】
【特許文献１】中国特許出願公開第１０６２１９０４７号明細書
【発明の概要】
【発明が解決しようとする課題】
【０００４】
本発明の目的は盗難防止包装箱を提供し、既存の技術にある上記の欠陥を補うことにある。
【課題を解決するための手段】
【０００５】
本発明の盗難防止包装箱は、本体を含み、前記本体の中には空きチャンバが設けられ、前記空きチャンバの中にはスライド盤が設けられ、前記スライド盤には置き台が固定的に設けられ、前記スライド盤の下端面には左右に対称的なスライダーが固定的に設けられ、前記空きチャンバの下側には空き溝が連通して設けられ、前記空き溝の中には前記スライド盤と噛み合う転輪が回転できるように設けられ、前記転輪には引掛り溝が設けられ、前記空き溝の下側には連動装置が設けられ、前記連動装置は前記引掛り溝と引っかかって連結され、前記空きチャンバの右側にはスライドチャンバが外部と連通するように設けられ、前記スライドチャンバの中にはスライド板がスライドできるように設けられ、前記空きチャンバの上側には案内溝が相通して設けられ、前記スライド板の上端にはガイドブロックが固定的に設けられ、前記ガイドブロックの右端と前記案内溝との間には伸縮ばねが固定的に設けられ、前記案内溝の上側には盗難防止装置が設けられ、前記盗難防止装置は前記ガイドブロックと当接でき、前記スライド板の左端にはロックブロックが固定的に設けられ、前記ロックブロックの中にはロック溝が上下に対称的に設けられ、前記空きチャンバの左側にはロック装置が設けられ、前記ロック装置は前記ロック溝とロックできるように連結されることができ、前記空きチャンバの下側には開き溝が相通して設けられ、前記開き溝の中には回転軸によって回転板が回転できるように設けられ、前記回転板の中には回転溝が設けられ、前記回転溝の中には前端が外部に伸びている平歯車が回転できるように設けられ、前記回転溝の上下側にはプッシュ溝が上下に相通して設けられ、前記プッシュ溝の中には前記平歯車と噛み合うプッシュロッドがスライドできるように設けられ、前記空きチャンバの左右側には固定溝が設けられ、前記開き溝の左側には噛合溝が相通して設けられ、前記回転軸の左端は前記噛合溝の中に伸びており且つ前記回転軸の左端には第一傘歯車が固定的に設けられ、前記噛合溝の中には前記第一傘歯車と噛み合う第二傘歯車が固定軸によって回転できるように設けられ、前記固定軸と前記盗難防止装置および前記ロック装置との間はベルトによって伝動できるように連結され、
前記盗難防止装置が作動するとき、前記スライド板が右に移動して前記空きチャンバを開くと、前記伸縮ばねは切断される。
【０００６】
さらなる技術プランとして、前記連動装置は前記空き溝と相通したスライド溝を含み、前記スライド溝の中には引掛りブロックがスライドできるように設けられ、前記スライド溝の右側には連結溝によって押し溝が連通して設けられ、前記連結溝の中には後端が前記引掛りブロックと連結されるリンクが回転できるように設けられ、前記リンクと前記連結溝との間にはトーションバネが固定的に設けられ、前記押し溝の中には押しブロックがスライドできるように設けられ、前記リンクの前端は前記押しブロックと回転できように連結され、
前記押しブロックの昇降は前記引掛りブロックを連動させて昇降させる。
【０００７】
さらなる技術プラントして、前記盗難防止装置は前記案内溝と相通したプッシュチャンバを含み、前記プッシュチャンバの中には固定ロッドがスライドできるように設けられ、前記固定ロッドと前記プッシュチャンバとの間には圧縮ばねが固定的に設けられ、前記プッシュチャンバの左側には開きチャンバが相通して設けられ、前記開きチャンバの中にはガイドロッドがスライドできるように設けられ、前記固定ロッドの上端は前記ガイドロッドと当接し、前記ガイドロッドの下端面にはカッターが固定的に設けられ、前記ガイドロッドの上端と前記開きチャンバとの間には引張ばねが固定的に設けられ、前記開きチャンバの左側には連結チャンバが設けられ、前記連結チャンバの上端壁には磁石が固定的に設けられ、前記連結チャンバの中には前記磁石と磁気で吸引し合える止めブロックがスライドできるように設けられ、前記連結チャンバの左側には移動溝が相通して設けられ、前記移動溝の中には前記止めブロックと当接する移動ロッドがスライドできるように設けられ、前記移動溝の上側には凹溝が相通して設けられ、前記移動ロッドの左端にはロックロッドが回転できるように設けられ、前記ロックロッドの上端と前記凹溝との間には回転ばねが固定的に設けられ、前記凹溝の左側には通し溝が相通して設けられ、前記通し溝の中には止め板がスライドできるように設けられ、前記止め板と前記通し溝との間には連結ばねが固定的に設けられ、前記凹溝の上端壁の中には押しロッドがスライドできるように設けられ、前記押しロッドの左右両側端面には前記押しロッドをリセットできる復帰部品が固定的に設けられ、前記移動ロッドの左側にはラックがスライドできるように設けられ、前記ラックの右端には回転ロッドが回転できるように設けられ、前記ラックの下端面には伝動輪と噛み合って連結され、前記伝動輪と前記第二傘歯車との間は前記ベルトによって伝動できるように連結され、
前記ロックロッドは前記回転ロッドとロックできるように連結されて前記盗難防止装置を起動させる。
【０００８】
さらなる技術プラントして、前記ロック装置は前記空きチャンバと相通した引掛りチャンバを含み、前記引掛りチャンバの上下端壁には通しチャンバが相通して設けられ、前記通しチャンバの中にはロックブロックがスライドできるように設けられ、前記ロックブロックと前記通しチャンバとの間には押圧ばねが固定的に設けられ、前記ロックブロックの中には貫通溝が設けられ、前記通しチャンバの左側には回転チャンバが相通して設けられ、前記回転チャンバの中には回しロッドが回転できるように設けられ、前記回しロッドの左端には縄が固定的に設けられ、前記回転チャンバの間には線輪が回転できるように設けられ、上下の前記縄は同じ側から前記線輪に巻き付けられて設けられ、前記線輪の心棒と前記固定軸および伝動輪との間は前記ベルトによって伝動できるように連結され、
前記ロックブロックは前記ロック溝に引っかかって前記スライド板をロックできる。
【発明の効果】
【０００９】
本発明の有益な効果は：本発明は構造が簡単で、操作が便利で、盗難防止装置が起動していないときは、包装箱は普通に使用でき、盗難防止を始めた後、もう一度包装箱を開くと、スライド板の伸縮バネが切断され、包装箱を再利用でき、しかし、スライド板には自動的にスライドする機能はなく、安全性が高く、再利用可能である。
【図面の簡単な説明】
【００１０】
【図１】図１は本発明の盗難防止包装箱の全体構造概略図
【図２】図２は図１のＡ−Ａ方向の構造概略図
【図３】図３は図２のＢの拡大構造概略図
【図４】図４は図２のＣ−Ｃ方向の構造概略図
【図５】図５は図１のＤの拡大構造概略図
【図６】図６は図１のＥの拡大構造概略図
【発明を実施するための形態】
【００１１】
下記に図１〜６を合わせて本発明を詳しく説明する。説明を便利にさせるように、ここで後文に出る方位を下記の通りに規定する：下記の上下左右前後という方向は図１自身の投影関係の上下左右前後の方向と一致している。
【００１２】
図１〜６を参照し、本発明の実施例の盗難防止包装箱は、本体１０を含み、前記本体１０の中には空きチャンバ１１が設けられ、前記空きチャンバ１１の中にはスライド盤１２が設けられ、前記スライド盤１２には置き台１３が固定的に設けられ、前記スライド盤１２の下端面には左右に対称的なスライダー１４が固定的に設けられ、前記空きチャンバ１１の下側には空き溝１７が連通して設けられ、前記空き溝１７の中には前記スライド盤１２と噛み合う転輪１６が回転できるように設けられ、前記転輪１６には引掛り溝１８が設けられ、前記空き溝１７の下側には連動装置１００が設けられ、前記連動装置１００は前記引掛り溝１８と引っかかって連結され、前記空きチャンバ１１の右側にはスライドチャンバ２８が外部と連通するように設けられ、前記スライドチャンバ２８の中にはスライド板４０がスライドできるように設けられ、前記空きチャンバ１１の上側には案内溝４４が相通して設けられ、前記スライド板４０の上端にはガイドブロック４３が固定的に設けられ、前記ガイドブロック４３の右端と前記案内溝４４との間には伸縮ばね４５が固定的に設けられ、前記案内溝４４の上側には盗難防止装置２００が設けられ、前記盗難防止装置２００は前記ガイドブロック４３と当接でき、前記スライド板４０の左端にはロックブロック４１が固定的に設けられ、前記ロックブロック４１の中にはロック溝４２が上下に対称的に設けられ、前記空きチャンバ１１の左側にはロック装置３００が設けられ、前記ロック装置３００は前記ロック溝４２とロックできるように連結されることができ、前記空きチャンバ１１の下側には開き溝２６が相通して設けられ、前記開き溝２６の中には回転軸２９によって回転板２７が回転できるように設けられ、前記回転板２７の中には回転溝３５が設けられ、前記回転溝３５の中には前端が外部に伸びている平歯車３６が回転できるように設けられ、前記回転溝３５の上下側にはプッシュ溝３７が上下に相通して設けられ、前記プッシュ溝３７の中には前記平歯車３６と噛み合うプッシュロッド３８がスライドできるように設けられ、前記空きチャンバ１１の左右側には固定溝３９が設けられ、前記開き溝２６の左側には噛合溝３０が相通して設けられ、前記回転軸２９の左端は前記噛合溝３０の中に伸びており且つ前記回転軸２９の左端には第一傘歯車３１が固定的に設けられ、前記噛合溝３０の中には前記第一傘歯車３１と噛み合う第二傘歯車３４が固定軸３３によって回転できるように設けられ、前記固定軸３３と前記盗難防止装置２００および前記ロック装置３００との間はベルト３２によって伝動できるように連結され、
前記盗難防止装置２００が作動するとき、前記スライド板４０が右に移動して前記空きチャンバ１１を開くと、前記伸縮ばね４５は切断される。
【００１３】
有益的には、前記連動装置１００は前記空き溝１７と相通したスライド溝２０を含み、前記スライド溝２０の中には引掛りブロック１９がスライドできるように設けられ、前記スライド溝２０の右側には連結溝２１によって押し溝２５が連通して設けられ、前記連結溝２１の中には後端が前記引掛りブロック１９と連結されるリンク２２が回転できるように設けられ、前記リンク２２と前記連結溝２１との間にはトーションバネ２３が固定的に設けられ、前記押し溝２５の中には押しブロック２４がスライドできるように設けられ、前記リンク２２の前端は前記押しブロック２４と回転できように連結され、
前記押しブロック２４の昇降は前記引掛りブロック１９を連動させて昇降させる。
【００１４】
有益的には、前記盗難防止装置２００は前記案内溝４４と相通したプッシュチャンバ４６を含み、前記プッシュチャンバ４６の中には固定ロッド４７がスライドできるように設けられ、前記固定ロッド４７と前記プッシュチャンバ４６との間には圧縮ばね４８が固定的に設けられ、前記プッシュチャンバ４６の左側には開きチャンバ４９が相通して設けられ、前記開きチャンバ４９の中にはガイドロッド５０がスライドできるように設けられ、前記固定ロッド４７の上端は前記ガイドロッド５０と当接し、前記ガイドロッド５０の下端面にはカッター５２が固定的に設けられ、前記ガイドロッド５０の上端と前記開きチャンバ４９との間には引張ばね５１が固定的に設けられ、前記開きチャンバ４９の左側には連結チャンバ５３が設けられ、前記連結チャンバ５３の上端壁には磁石５４が固定的に設けられ、前記連結チャンバ５３の中には前記磁石５４と磁気で吸引し合える止めブロック５５がスライドできるように設けられ、前記連結チャンバ５３の左側には移動溝５７が相通して設けられ、前記移動溝５７の中には前記止めブロック５５と当接する移動ロッド５６がスライドできるように設けられ、前記移動溝５７の上側には凹溝５９が相通して設けられ、前記移動ロッド５６の左端にはロックロッド５８が回転できるように設けられ、前記ロックロッド５８の上端と前記凹溝５９との間には回転ばね８０が固定的に設けられ、前記凹溝５９の左側には通し溝６２が相通して設けられ、前記通し溝６２の中には止め板６３がスライドできるように設けられ、前記止め板６３と前記通し溝６２との間には連結ばね６４が固定的に設けられ、前記凹溝５９の上端壁の中には押しロッド６０がスライドできるように設けられ、前記押しロッド６０の左右両側端面には前記押しロッド６０をリセットできる復帰部品６１が固定的に設けられ、前記移動ロッド５６の左側にはラック６６がスライドできるように設けられ、前記ラック６６の右端には回転ロッド６５が回転できるように設けられ、前記ラック６６の下端面には伝動輪６７と噛み合って連結され、前記伝動輪６７と前記第二傘歯車３４との間は前記ベルト３２によって伝動できるように連結され、
前記ロックロッド５８は前記回転ロッド６５とロックできるように連結されて前記盗難防止装置２００を起動させる。
【００１５】
有益的には、前記ロック装置３００は前記空きチャンバ１１と相通した引掛りチャンバ６８を含み、前記引掛りチャンバ６８の上下端壁には通しチャンバ６９が相通して設けられ、前記通しチャンバ６９の中にはロックブロック７０がスライドできるように設けられ、前記ロックブロック７０と前記通しチャンバ６９との間には押圧ばね７４が固定的に設けられ、前記ロックブロック７０の中には貫通溝７１が設けられ、前記通しチャンバ６９の左側には回転チャンバ７２が相通して設けられ、前記回転チャンバ７２の中には回しロッド７３が回転できるように設けられ、前記回しロッド７３の左端には縄７５が固定的に設けられ、前記回転チャンバ７２の間には線輪７６が回転できるように設けられ、上下の前記縄７５は同じ側から前記線輪７６に巻き付けられて設けられ、前記線輪７６の心棒７７と前記固定軸３３および伝動輪６７との間は前記ベルト３２によって伝動できるように連結され、
前記ロックブロック７０は前記ロック溝４２に引っかかって前記スライド板４０をロックできる。
【００１６】
初期状態では、引掛り溝１８は引掛りブロック１９と連結されていなく、止めブロック５５の下端は案内溝４４の内に延びており、ガイドブロック４３の右端は止めブロック５５と当接している。
【００１７】
装置を始動するとき、スライド盤１２を前方に引き出し、物品を置き台１３の上に置いた後、スライド盤１２を空きチャンバ１１の内に押し込み、スライド板４０を左に移動し、ロック溝４２はロックブロック７０とロックし、回転板２７を時計方向（右から見る）に回転させてスライド板４０に当接させて空きチャンバ１１を閉じ、押しブロック２４が下降し、そして、引掛りブロック１９が上昇して引掛り溝１８に引っかかって転輪１６を固定し、置き台１３を固定し、トーションバネ２２は伸びた状態にあり、それから平歯車３６を反時計回りに回転させ、プッシュ溝３７を移動させて固定溝３９と引っかかって連結し、回転板２７をロックし、押しロッド６０を押すと、ロックロッド５８が回転ロッド６５とロックできるように接続され、止めブロック６３はロックロッド５８の上側に位置してロックロッド５８の翻転を防止し、物品の包装が終わり、盗難防止機能は起動し、もう一度包装箱を開けるとき、平歯車３６を回転させると、プッシュロッド３８が固定溝３９から離脱し、回転板２７を回転させて空きチャンバ１１を開き、リンク２２はトーションバネ２３の作用で回転し、引掛りブロック１９を下降させて引掛り溝１８から離脱させ、回転板２７の回転中に、ベルト３２によって伝動輪６７を回転させ、ラック６６は移動ロッド５６を連動させて左に移動させ、止めブロック５５が上昇して磁石５４と磁力により吸引しあい、ベルト３２は同期的に線輪７６を回転連動させ、回しロッド７３が引掛りチャンバ６８の外側に回動してロックブロック７０をロック溝４２から離脱させ、スライド板４０は引張ばね４５により右に移動して空きチャンバ１１を開き、ガイドブロック４３は固定ロッド４７を押して右に移動させてガイドロッド５０のロックを解除し、それによりカッター５２が下降して伸縮ばね４５を切断し、包装箱が開けられ、しかし再利用できる。
【００１８】
本発明の有益な効果は：本発明は構造が簡単で、操作が便利で、盗難防止装置が起動していないときは、包装箱は普通に使用でき、盗難防止を始めた後、もう一度包装箱を開くと、スライド板の伸縮バネが切断され、包装箱を再利用でき、しかし、スライド板には自動的にスライドする機能はなく、安全性が高く、再利用可能である。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175942.tif 000003
【図２】
2020175942.tif 000004
【図３】
2020175942.tif 000005
【図４】
2020175942.tif 000006
【図５】
2020175942.tif 000007
【図６】
2020175942.tif 000008